(57)【特許請求の範囲】
【請求項１】
選択すべき丁合対象物の種類を示す丁合選択データを有する丁合用台紙を供給する台紙供給部と、
前記台紙供給部から供給された丁合用台紙を搬送する台紙搬送部と、
前記台紙搬送部で搬送される丁合用台紙から前記丁合選択データを読み取る選択データ読み取り部を備え、互いに異なる種類の前記丁合対象物が貯えられた複数の丁合対象供給部と、
前記丁合対象供給部に貯えられた前記丁合対象物の種類を示すデータと前記選択データ読み取り部で読み取った丁合選択データとが一致すると当該丁合対象供給部を制御して前記丁合対象物を供給する制御部と、
前記丁合対象供給部から供給される丁合対象物を、前記台紙搬送部で搬送される丁合用台紙に丁合する丁合部と
を備える丁合装置。
【請求項２】
請求項１に記載の丁合装置において、
前記台紙供給部から供給される丁合用台紙は、二つ折りされており、前記丁合部は、前記丁合用台紙を開く台紙開き部と、その台紙開き部で開いた状態を保持する開き状態保持部とを有する
ことを特徴とする丁合装置。
【請求項３】
請求項１に記載の丁合装置において、
前記丁合部は、前記丁合対象供給部から供給される丁合対象物を、前記台紙搬送部で搬送される丁合用台紙と並行して搬送する丁合対象搬送部を有する
ことを特徴とする丁合装置。
【請求項４】
請求項１に記載の丁合装置において、
前記台紙供給部から供給される丁合用台紙は、上面に丁合選択データを表示しており、
前記台紙搬送部は、前記丁合用台紙を斜めに傾けて搬送し、
前記丁合部は、搬送中の丁合用台紙にのせた丁合対象物の位置を規制して、その丁合対象物が前記丁合選択データを隠すことを防止する丁合物位置規制部を有する
ことを特徴とする丁合装置。
【請求項５】
請求項１に記載の丁合装置において、
前記丁合部は、前記丁合対象物をのせたときに露出する丁合選択データを有する丁合用台紙の上に丁合対象物をのせる
ことを特徴とする丁合装置。
【請求項６】
請求項４に記載の丁合装置に使用する丁合用台紙であって、
前記丁合対象物を配置する面に、丁合選択データを表示する
ことを特徴とする丁合用台紙。
【請求項７】
請求項５に記載の丁合装置に使用する丁合用台紙であって、
丁合対象物をのせたときに露出する丁合選択データを有する
ことを特徴とする丁合用台紙。
【請求項８】
請求項１から請求項５までのいずれか１項に記載の丁合装置で丁合した丁合用台紙及び丁合対象物を包装した丁合包装物であって、
前記丁合用台紙の丁合選択データが視認可能な透明フィルムで包装されていることを特徴とする丁合包装物。
【請求項９】
請求項１から請求項５までのいずれか１項に記載の丁合装置で丁合した丁合用台紙及び丁合対象物を包装した丁合包装物であって、
透明又は不透明フィルムで包装され、前記丁合用台紙の丁合選択データと同一のデータ又は前記丁合用台紙の丁合選択データに基づき新たに割り振られたデータを表示するラベルが貼付されている
ことを特徴とする丁合包装物。
【請求項１０】
選択すべき丁合対象物の種類を示す丁合選択データを有する丁合用台紙を台紙搬送部に供給する台紙供給ステップと、
互いに異なる種類の丁合対象物が貯えられた複数の丁合対象供給部について、その貯えられた丁合対象物の種類を示すデータと前記丁合用台紙から読み取った丁合選択データとが一致すると、当該丁合対象供給部を制御して前記丁合対象物を供給する丁合対象物供給ステップと、
前記丁合対象供給部から供給される丁合対象物を、前記台紙搬送部で搬送される丁合用台紙に丁合する丁合ステップと
を有する丁合方法。
【発明の詳細な説明】
【０００１】
【発明の属する技術分野】
本発明は、台紙にチラシなどを丁合してダイレクトメール等を作製するのに好適に使用することができる丁合装置、丁合方法、丁合用台紙及び丁合包装物に関するものである。
【０００２】
【従来の技術】
従来より、受取人の嗜好等に合わせて、異なったチラシ、カタログ類を丁合したダイレクトメール等を作製することがある。
従来、そのようなダイレクトメールは、受取人データを、あらかじめ、サーバ等に読み出しておき、そのデータに基づいて丁合装置を制御して、チラシ、カタログ等を丁合していた。
【０００３】
【発明が解決しようとする課題】
しかし、従来の方法では、実際の丁合時に、何らかのトラブルが発生した場合に、供給すべきチラシ、カタログの順番がずれてしまう可能性があった。特に、何らかのトラブルで丁合装置が停止してしまった場合に、そのようなことが生じやすい。
また、丁合用台紙の上にチラシ、カタログ等の丁合対象物をのせるので、丁合用台紙からの丁合選択データ読み取りは、バーコードリーダ等を下から当てて読み取っていた。そのため、バーコードリーダに、紙粉、埃などが溜まりやすく、読み取り精度が低下したり、また、メンテナンスが煩雑になっていた。
【０００４】
本発明の課題は、万一、何らかのトラブルが発生しても丁合順番をずらすことなく丁合可能であり、また、機械読み取りの精度低下を起こしにくい丁合装置、丁合方法、丁合用台紙及び丁合包装物を提供することである。
【０００５】
【課題を解決するための手段】
本発明は、以下のような解決手段により、前記課題を解決する。なお、理解を容易にするために、本発明の実施形態に対応する符号を付して説明するが、これに限定されるものではない。前記課題を解決するために、請求項１の発明は、選択すべき丁合対象物（７０）の種類を示す丁合選択データ（６１）を有する丁合用台紙（６０）を供給する台紙供給部（１１）と、
前記台紙供給部（１１）から供給された丁合用台紙（６０）を搬送する台紙搬送部（１２）と、前記台紙搬送部（１２）で搬送される丁合用台紙（６０）から前記丁合選択データ（６１）を読み取る選択データ読み取り部（１３）を備え、互いに異なる種類の丁合対象物（７０）が貯えられた複数の丁合対象供給部（１４）と、前記丁合対象供給部（１４）に貯えられた前記丁合対象物（７０）の種類を示すデータと前記選択データ読み取り部（１３）で読み取った丁合選択データとが一致すると当該丁合対象供給部（１４）を制御して前記丁合対象物（７０）を供給する制御部（５０）と、前記丁合対象供給部（１４）から供給される丁合対象物（７０）を、前記台紙搬送部（１２）で搬送される丁合用台紙（６０）に丁合する丁合部（１５，２５，３５）とを備える丁合装置である。
【０００６】
請求項２の発明は、請求項１に記載の丁合装置において、前記台紙供給部（１１）から供給される丁合用台紙（６０）は、二つ折りされており、前記丁合部（１５）は、前記丁合用台紙（６０）を開く台紙開き部（１５ａ）と、その台紙開き部（１５ａ）で開いた状態を保持する開き状態保持部（１５ｂ）とを有することを特徴とする丁合装置である。
【０００７】
請求項３の発明は、請求項１に記載の丁合装置において、前記丁合部（２５）は、前記丁合対象供給部（１４）から供給される丁合対象物（７０）を、前記台紙搬送部（１２）で搬送される丁合用台紙（６０）と並行して搬送する丁合対象搬送部（２５ａ）を有することを特徴とする丁合装置である。
【０００８】
請求項４の発明は、請求項１に記載の丁合装置において、前記台紙供給部（１１）から供給される丁合用台紙（６０）は、上面に丁合選択データ（６１）を表示しており、前記台紙搬送部（１２）は、前記丁合用台紙（６０）を斜めに傾けて搬送し、前記丁合部（３５）は、搬送中の丁合用台紙（６０）にのせた丁合対象物（７０）の位置を規制して、その丁合対象物（７０）が前記丁合選択データ（６１）を隠すことを防止する丁合物位置規制部（３５ａ）を有することを特徴とする丁合装置である。
【０００９】
請求項５の発明は、請求項１に記載の丁合装置において、前記丁合部は、前記丁合対象物（７０）をのせたときに露出する丁合選択データ（６１）を有する丁合用台紙（６０）の上に丁合対象物（７０）をのせることを特徴とする丁合装置である。
【００１０】
請求項６の発明は、請求項４に記載の丁合装置に使用する丁合用台紙であって、前記丁合対象物（７０）を配置する面に、丁合選択データ（６１）を表示することを特徴とする丁合用台紙である。
【００１１】
請求項７の発明は、請求項５に記載の丁合装置に使用する丁合用台紙であって、丁合対象物（７０）をのせたときに露出する丁合選択データ（６１）を有することを特徴とする丁合用台紙である。
【００１２】
請求項８の発明は、請求項１から請求項５までのいずれか１項に記載の丁合装置で丁合した丁合用台紙及び丁合対象物を包装した丁合包装物であって、前記丁合用台紙（６０）の丁合選択データ（６１）を視認可能な透明フィルムで包装されていることを特徴とする丁合包装物である。
【００１３】
請求項９の発明は、請求項１から請求項５までのいずれか１項に記載の丁合装置で丁合した丁合用台紙及び丁合対象物を包装した丁合包装物であって、透明又は不透明フィルムで包装され、前記丁合用台紙（６０）の丁合選択データ（６１）と同一のデータ又は前記丁合用台紙（６０）の丁合選択データ（６１）に基づき新たに割り振られたデータを表示するラベル（９１ａ）が貼付されていることを特徴とする丁合包装物である。
【００１４】
請求項１０の発明は、選択すべき丁合対象物の種類を示す丁合選択データを有する丁合用台紙を台紙搬送部に供給する台紙供給ステップと、互いに異なる種類の丁合対象物が貯えられた複数の丁合対象供給部について、その蓄えられた丁合対象物の種類を示すデータと前記丁合用台紙から読み取った丁合選択データとが一致すると、当該丁合対象供給部を制御して前記丁合対象物を供給する丁合対象物供給ステップと、前記丁合対象供給部から供給される丁合対象物を、前記台紙搬送部で搬送される丁合用台紙に丁合する丁合ステップとを有する丁合方法である。
【００１５】
【発明の実施の形態】
以下、図面等を参照して、本発明の実施の形態について、さらに詳しく説明する。
（第１実施形態）
（丁合用台紙）
理解を容易にするために、まず始めに、丁合用台紙６０について説明する。
図１は、本発明による丁合装置の第１実施形態の使用に適した丁合用台紙を示す図である。（Ａ）は、第１形態を示す展開図、（Ｂ）は、第２形態を示す斜視図である。
丁合用台紙６０は、丁合対象物７０を丁合するための台紙である。丁合用台紙６０は、（Ａ）（Ｂ）に示すように、バーコードで丁合選択データ６１を表示する。丁合用台紙６０は、例えば、５種類のチラシの中から必要なものを選択丁合する場合であって、１、２、５番目のチラシを丁合するときは、「１１００１」というようにバーコードで丁合選択データ６１を表示する。丁合用台紙６０は、（Ａ）に示すように、１枚の用紙のままであっても、また、（Ｂ）に示すように、帳票等に糊で綴じられていてもよい。丁合用台紙６０は、後述の通り、２つ折り状態で、台紙フィーダ１１にストックされている（図２、３参照）。
【００１６】
（丁合装置）
図２は、本発明による丁合装置の第１実施形態を示す装置全体の概略図、図３は、装置の動作状況を示す模式図である。
丁合装置１０は、包装集積装置４０に連接されており、これらの装置をコントローラ５０で制御する。
丁合装置１０は、台紙フィーダ１１と、台紙搬送部１２と、選択データ読み取り部１３と、丁合物フィーダ１４と、丁合部１５とを備える。
【００１７】
台紙フィーダ１１は、２つ折り状態でストックしてある丁合用台紙６０を丁合装置１０に供給する部分である。台紙フィーダ１１は、コントローラ５０に接続されており、その指示にしたがって丁合用台紙６０を台紙搬送部１２に送り出す。
【００１８】
台紙搬送部１２は、台紙フィーダ１１から供給された丁合用台紙６０を搬送するコンベヤ部である。
【００１９】
選択データ読み取り部１３は、丁合用台紙６０のバーコードによる丁合選択データ６１を読み取るバーコードリーダである。選択データ読み取り部１３は、丁合対象物７０の種類に応じて複数設けられており、丁合物フィーダ１４と対をなしている。選択データ読み取り部１３は、横向きである。
選択データ読み取り部１３は、台紙搬送部１２で搬送されている丁合用台紙６０から、丁合選択データ６１を順次読み取り、その丁合選択データ６１をコントローラ５０に送る。丁合選択データ６１を受け取ったコントローラ５０は、丁合選択データ６１を受け取るごとに、丁合対象物７０を供給する必要があるか否かを判断し、必要ありと判断したときは、対となる丁合物フィーダ１４に丁合対象物７０を供給させる。
【００２０】
丁合物フィーダ１４は、チラシ、カタログ等の丁合対象物７０を供給する部分である。丁合物フィーダ１４は、上述の通り、選択データ読み取り部１３と対をなして複数設けられており、丁合対象物７０を種類ごとにストックしている。丁合物フィーダ１４は、対となる選択データ読み取り部１３が読み取った丁合選択データ６１に基づいて、丁合対象物７０を供給する。
【００２１】
丁合部１５は、丁合物フィーダ１４から供給される丁合対象物７０を、台紙搬送部１２で搬送されている丁合用台紙６０に丁合する部分である。詳細については、後述する。
【００２２】
図４は、本発明による丁合装置の第１実施形態の丁合部を示す斜視図である。丁合部１５は、台紙開き部１５ａと、開き状態保持部１５ｂとを備える。
台紙開き部１５ａは、２つ折り状態の丁合用台紙６０を開く部分である。台紙開き部１５ａは、先端に備える吸盤によって、丁合用台紙６０の一面を吸着して開く。
開き状態保持部１５ｂは、台紙開き部１５ａによって開かれた丁合用台紙６０の開き状態を保つガイド板であり、チラシ、カタログ等の丁合対象物７０を丁合しやすくする。また、開き状態保持部１５ｂは、丁合用台紙６０の開き状態を保つので、横向きの選択データ読み取り部１３によって、丁合選択データ６１を読み取ることができる。
【００２３】
（丁合方法）
丁合装置１０は、以下のように作動して、丁合用台紙６０に丁合対象物７０を丁合する。
（＃１０１；台紙供給工程）
２つ折り状態で台紙フィーダ１１にストックされている丁合用台紙６０を、台紙搬送部１２に供給して、搬送する。
【００２４】
（＃１０２；台紙開き工程）
＃１０１において台紙搬送部１２に供給した丁合用台紙６０を、台紙開き部１５ａで吸着して開き、さらに、開き状態保持部１５ｂで、その開き状態を保つ。
【００２５】
（＃１０３；丁合対象物供給工程）
＃１０２において開いた丁合用台紙６０に対して、選択データ読み取り部１３が横側より、丁合選択データ６１を読み取る。そして、この丁合選択データ６１に基づいて、必要があるときのみ、丁合物フィーダ１４から丁合対象物７０を供給する。
このデータ読み取り−供給動作を、対となる選択データ読み取り部１３−丁合物フィーダ１４ごとに繰り返し、丁合用台紙６０に対して、必要な丁合対象物７０を丁合選択データ６１に基づいて供給して、丁合物８０を作製する。
【００２６】
本実施形態によれば、選択データ読み取り部１３で読み取った丁合選択データ６１に基づいて、丁合の必要性を順次判断して、必要なときのみ、丁合対象物７０を供給するので、丁合対象物７０の順番がずれてしまうことがない。
また、選択データ読み取り部１３は、横向きなので、紙粉、埃などを溜めにくいため、読み取り精度の低下を防止することができる。
【００２７】
（第２実施形態）
（丁合装置）
図５は、本発明による丁合装置の第２実施形態の丁合部を示す斜視図である。
なお、以下に示す各実施形態では、前述した第１実施形態と同様の機能を果たす部分には、同一の符号を付して、重複する説明を適宜省略する。
本実施形態の丁合装置１０においては、丁合用台紙６０は、枚葉紙状の台紙である。
丁合部２５は、台紙搬送部１２に並行な丁合対象搬送部２５ａを有する。
丁合対象搬送部２５ａは、丁合物フィーダ１４から供給される丁合対象物７０を、台紙搬送部１２で搬送される丁合用台紙６０と並行して搬送するコンベヤ部である。丁合対象搬送部２５ａの搬送速度は、台紙搬送部１２の搬送速度に合わせられている。
本実施形態では、丁合対象搬送部２５ａは、台紙搬送部１２の下段に設けられている。
【００２８】
（丁合方法）
丁合装置１０は、以下のように作動して、丁合用台紙６０に丁合対象物７０を丁合する。
（＃１０１；台紙供給工程）
台紙フィーダ１１にストックされている丁合用台紙６０を、台紙搬送部１２に供給して、搬送する。
【００２９】
（＃１０２；丁合対象物供給工程）
＃１０１において搬送している丁合用台紙６０に対して、下向きの選択データ読み取り部１３で、丁合選択データ６１を読み取る。そして、この丁合選択データ６１に基づいて、必要があるときのみ、丁合物フィーダ１４から丁合対象搬送部２５ａに丁合対象物７０を供給する。
このデータ読み取り−供給動作を、対となる選択データ読み取り部１３−丁合物フィーダ１４ごとに繰り返し、丁合対象搬送部２５ａに、必要な丁合対象物７０を丁合選択データ６１に基づいて供給する。そして、後工程で、供給された丁合対象物７０を丁合用台紙６０に丁合する。
【００３０】
本実施形態によれば、台紙搬送部１２と並行する丁合対象搬送部２５ａを有するので、第１実施形態のような、表紙を１枚だけめくり上げる機構が不要であり、装置を単純化することができる。
また、選択データ読み取り部１３は、下向きなので、紙粉、埃などをほとんど溜めることがなく、読み取り精度の低下を防止できる。
【００３１】
（第３実施形態）
（丁合装置）
図６は、本発明による丁合装置の第３実施形態の丁合部を示す図である。（Ａ）は斜視図、（Ｂ）は（Ａ）のＢ−Ｂ断面図である。
台紙搬送部１２は、図６（Ｂ）に示すように、幅方向に傾斜している。
本実施形態の丁合装置１０においては、丁合用台紙６０は、枚葉紙状の台紙であって、丁合対象物７０を丁合する面に、バーコードの丁合選択データ６１を表示する。
丁合部３５は、搬送中の丁合用台紙６０にのせた丁合対象物７０の位置を規制して、その丁合対象物７０がズレて丁合選択データ６１を隠すことを防止する丁合物位置規制部３５ａを有する。
丁合物位置規制部３５ａは、丁合用台紙６０の厚みよりも若干大きな隙間を有しているので、丁合時に、丁合対象物７０をのせても、その隙間から丁合用台紙６０の丁合選択データ６１を露出させたまま搬送することができる。
【００３２】
本実施形態によれば、丁合用台紙６０は、丁合対象物７０を丁合する面側に、丁合選択データ６１を表示し、丁合部３５は、丁合物位置規制部３５ａを有するので、丁合用台紙６０の上に丁合対象物７０をのせても、丁合選択データ６１が露出するため、上方から丁合選択データ６１を読み取ることができる。したがって、選択データ読み取り部１３に紙粉、埃などを溜めにくく、読み取り精度の低下を防止することができる。
【００３３】
（第４実施形態）
（丁合用台紙）
図７は、本発明による丁合用台紙の一実施形態を示す斜視図である。
丁合用台紙６０は、丁合対象物７０よりも大形に形成され、丁合対象物７０を丁合しても露出する露出領域を有している。丁合用台紙６０は、この露出領域に、バーコードの丁合選択データ６１を表示する。
【００３４】
本実施形態によれば、丁合用台紙６０は、丁合時に、丁合対象物７０をのせても、常に、丁合選択データ６１を露出させたまま搬送されるので、上方から丁合選択データ６１を読み取ることができる。したがって、選択データ読み取り部１３に紙粉、埃などを溜めにくく、読み取り精度の低下を防止することができる。
【００３５】
（丁合包装物の第１実施形態）
図８は、本発明による丁合包装物の第１実施形態を示す斜視図である。
また、ここで再び、図２、図３に戻り、今度は、包装集積装置４０について、説明する。
包装集積装置４０は、丁合装置１０に連接されており、コントローラ５０で制御される。
丁合装置１０で作製された丁合物８０は、包装集積装置４０に送られる。
包装集積装置４０に送られた丁合物８０は、そこで、透明フィルムで包装されて、丁合包装物９０となる（図８）。
【００３６】
本実施形態によれば、丁合包装物９０は、透明フィルムで包装されているので、包装後も、バーコードリーダを使用して丁合選択データ６１を読み取ることができるため、容易に管理することができる。
【００３７】
（丁合包装物の第２実施形態）
図９は、本発明による丁合包装物の第２実施形態を示す斜視図である。
丁合装置１０で作製された丁合物８０は、包装集積装置４０に送られ、そこで、不透明フィルムで包装された後、丁合選択データ６１と同一のデータ又は丁合選択データ６１に基づきコントローラ５０により新たに割り振られたデータを表示するラベル９１ａが貼付されて、丁合包装物９１となる（図９）。
【００３８】
本実施形態によれば、丁合包装物９１は、ラベル９１ａを貼付しているので、不透明フィルムで包装後も、バーコードリーダを使用して丁合選択データ６１と同一のデータを読み取ることができるため、容易に管理することができる。
【００３９】
（変形形態）
以上説明した実施形態に限定されることなく、種々の変形や変更が可能であって、それらも本発明の均等の範囲内である。
例えば、選択データ読み取り部１３は、ＯＣＲや、磁気ヘッドでもよい。
また、第２実施形態において、丁合対象搬送部２５ａを台紙搬送部１２の横に並べて設けても、同様の効果が得られる。
【００４０】
【発明の効果】
以上詳しく説明したように、請求項１の発明によれば、台紙搬送部で搬送される丁合用台紙から丁合選択データを順次読み取る複数の選択データ読み取り部と、その選択データ読み取り部と対になって設けられ、丁合対象物を種類別に貯えており、対になる選択データ読み取り部で読み取った丁合選択データに基づいて、その丁合対象物を供給する丁合対象供給部とを備えるので、丁合時に、丁合対象物の順番がずれてしまうことがない。
【００４１】
請求項２の発明によれば、丁合用台紙を開く台紙開き部と、その台紙開き部で開いた状態を保持する開き状態保持部とを有する丁合部を備えるので、選択データ読み取り部を横向きに設けることができ、紙粉、埃などを溜めにくい。
【００４２】
請求項３の発明によれば、丁合対象供給部から供給される丁合対象物を、台紙搬送部で搬送される丁合用台紙と並行して搬送する丁合対象搬送部を有する丁合部を備えるので、装置を単純化することができる。
【００４３】
請求項４の発明によれば、丁合部は、斜めに傾けられて搬送される丁合用台紙にのせた丁合対象物の位置を規制して、その丁合対象物が前記丁合選択データを隠すことを防止する丁合物位置規制部を有するので、丁合選択データを上側から読み取ることができ、選択データ読み取り部に、紙粉、埃などを溜めにくい。
【００４４】
請求項５の発明によれば、丁合部は、丁合対象物をのせたときに露出する丁合選択データを有する丁合用台紙の上に丁合対象物をのせるので、装置を簡素化することができる。
【００４５】
請求項６の発明によれば、丁合対象物を配置する面に、丁合選択データを表示する丁合用台紙であるので、丁合選択データを上側から読み取ることができ、選択データ読み取り部に、紙粉、埃などを溜めにくい。
【００４６】
請求項７の発明によれば、丁合対象物をのせたときに露出する丁合選択データを有する丁合用台紙であるので、丁合対象物をのせても、丁合選択データを上側から読み取ることができる。
【００４７】
請求項８の発明によれば、丁合用台紙の丁合選択データを視認可能な透明フィルムで包装されている丁合包装物であるので、包装後も、丁合選択データを読み取ることができる。
【００４８】
請求項９の発明によれば、透明又は不透明フィルムで包装され、丁合用台紙の丁合選択データと同一のデータ又はその丁合選択データに基づき新たに割り振られたデータを表示するラベルが貼付されている丁合包装物であるので、包装後も、管理が容易である。
【００４９】
請求項１０の発明によれば、丁合用台紙の丁合選択データを順次機械読み取りして、読み取りごとに丁合対象物を供給するか否かを判断して、必要な場合にのみ、丁合対象物を供給して丁合するので、丁合時に、丁合対象物の順番がずれてしまうことがない。
【図面の簡単な説明】
【図１】本発明による丁合装置の第１実施形態の使用に適した丁合用台紙を示す図である。
【図２】本発明による丁合装置の第１実施形態を示す装置全体の概略図である。
【図３】装置の動作状況を示す模式図である。
【図４】本発明による丁合装置の第１実施形態の丁合部を示す斜視図である。
【図５】本発明による丁合装置の第２実施形態の丁合部を示す斜視図である。
【図６】本発明による丁合装置の第３実施形態の丁合部を示す図である。
【図７】本発明による丁合用台紙の一実施形態を示す斜視図である。
【図８】本発明による丁合包装物の第１実施形態を示す斜視図である。
【図９】本発明による丁合包装物の第２実施形態を示す斜視図である。
【符号の説明】
１０  丁合装置
１１  台紙フィーダ
１２  台紙搬送部
１３  選択データ読み取り部
１４  丁合物フィーダ
１５  丁合部
１５ａ  台紙開き部
１５ｂ  開き状態保持部
２５  丁合部
２５ａ  丁合対象搬送部
３５  丁合部
３５ａ  丁合物位置規制部
４０  包装集積装置
５０  コントローラ
６０  丁合用台紙
６１  丁合選択データ
７０  丁合対象物
８０  丁合物
９０、９１  丁合包装物
９１ａ  ラベル
【図１】
0003911103.tif 000002
【図２】
0003911103.tif 000003
【図３】
0003911103.tif 000004
【図４】
0003911103.tif 000005
【図５】
0003911103.tif 000006
【図６】
0003911103.tif 000007
【図７】
0003911103.tif 000008
【図８】
0003911103.tif 000009
【図９】
0003911103.tif 000010